【事件の表示】
　特許第３２０２６１３号「色むら補正装置」の請求項１ないし６に係る特許に対する特許異議の申立てについて、次のとおり決定する。
【結　論】
　訂正を認める。
　特許第３２０２６１３号の請求項１ないし６に係る特許を維持する。
【理　由】
［１］手続の経緯
　本件特許３２０２６１３号の発明は、平成８年９月６日に特許出願され、平成１３年６月２２日にその特許の設定登録がなされ、その後、古川京子から特許異議の申立がなされ、取消理由が通知され、その指定期間内である平成１４年７月２３日に訂正請求がなされたものである。
　
［２］訂正の適否についての判断
［２−１］訂正の内容
　特許権者が求めている訂正の内容は、以下のとおりの訂正事項である。
（１）特許請求の範囲の請求項１において、「所定の表示器の表示画面を少なくとも二つのブロックに分割し、該分割した各ブロックの輝度レベルを均一化して前記表示画面に生じる色むらを補正する色むら補正信号を発生する色むら補正信号発生回路と、」とあるのを、「所定の表示器の表示画面を少なくとも二つのブロックに分割し、該分割した各ブロックの輝度レベルを均一化して前記表示画面に生じる色むらを補正する色むら補正信号を
該分割した各ブロック間の輝度差のデータに基づいて
（２）特許請求の範囲の請求項１において、「前記表示器における表示画面の緻密な色むら補正を可能としたことを特徴とする色むら補正装置。」とあるのを、「前記表示器における表示画面の緻密な色むら補正を可能としたことを特徴とする
液晶表示装置の
（３）発明の詳細な説明の項の【００１１】段落「種々の要因による色むらを補正することのできる色むら補正装置を得ることを目的としている。」とあるのを、「種々の要因による色むらを補正することのできる
液晶表示装置の
（４）発明の詳細な説明の項の【００１２】段落「所定の表示器の表示画面を少なくとも二つのブロックに分割し、この分割した各ブロックの輝度レベルを均一化して表示画面に生じる色むらを補正する色むら補正信号を発生する色むら補正信号発生回路（１０）と、」とあるのを、「所定の表示器の表示画面を少なくとも二つのブロックに分割し、この分割した各ブロックの輝度レベルを均一化して表示画面に生じる色むらを補正する色むら補正信号を
前記分割した各ブロック間の輝度差のデータに基づいて
　
［２−２］訂正の目的の適否、新規事項の有無及び拡張・変更の存否
　訂正事項（１）および（２）は、特許明細書の記載に基いて、特許明細書の特許請求の範囲の、「色むら補正信号発生回路」および「色むら補正装置」を限定するものであるので、特許請求の範囲の減縮を行うものである。
　訂正事項（３）および（４）は、特許請求の範囲の訂正にともない、対応する箇所を訂正するものであり、明りょうでない記載の釈明に該当する。
　よって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。
　
［２−３］
　以上のとおりであるから、上記訂正は、特許法第１２０条の４第２項及び第３項で準用する特許法第１２６条第２項ないし第３項の規定に適合するので、当該訂正を認める。
　
［３］特許異議の申立についての判断
［３−１］申立の理由の概要
　申立人古川京子は、証拠として、甲第１号証（特開平４−３５１１８２号公報、以下「刊行物１」という。）、甲第２号証（特開平４−３５１１８９号公報、以下「刊行物２」という。）、甲第３号証（特開平５−１７３５２３号公報、以下「刊行物３」という。）及び甲第４号証（特開平６−１２５５２３号公報、以下「刊行物４」という。）を提出し、特許請求の範囲の請求項１ないし３および５に係る発明についての特許は、特許法第２９条第１項の規定に違反してなされたものであり、請求項１ないし６に係る発明についての特許は、特許法第２９条第２項の規定に違反してなされたものであるので、特許を取り消すべきものと主張している。
　
［３−２］本件発明
　上記訂正請求により訂正された訂正明細書の特許請求の範囲の請求項１ないし６に係る発明は、その請求項１ないし６に記載された次のとおりのものである。
　「【請求項１】　所定の表示器の表示画面を少なくとも二つのブロックに分割し、該分割した各ブロックの輝度レベルを均一化して前記表示画面に生じる色むらを補正する色むら補正信号を
該分割した各ブロック間の輝度差のデータに基づいて
　　前記表示器に適用される表示媒体の電圧−透過率特性に基づき該表示器で表示する映像信号をリニアな特性に補正して出力するＶ−Ｔ補正回路と、
　　該Ｖ−Ｔ補正回路で補正された映像信号へ前記色むら補正信号を重畳する色むら補正信号加算回路とを備え、
　　前記表示器における表示画面の緻密な色むら補正を可能としたことを特徴とする
液晶表示装置の
　【請求項２】　前記色むら補正信号発生回路は、前記分割した各ブロックの表示画面の色むら補正量をデジタルデータとして保存する、メモリを有して構成されたことを特徴とする請求項１記載の色むら補正装置。
　【請求項３】　前記色むら補正装置は、前記映像信号を反転増幅する反転増幅回路と、非反転増幅する非反転増幅回路と、前記それぞれに増幅された映像信号の何れか一をフィールド反転やドット反転等の前記表示器に最適な映像信号として切り替えて出力する極性切替回路とを、さらに有することを特徴とする請求項１または２に記載の色むら補正装置。
　【請求項４】　前記色むら補正装置は、前記色むら補正信号発生回路のメモリからＨ同期信号とＶ同期信号を基準としたタイミングで前記補正量のデジタルデータを呼び出すタイミング発生回路と、該呼び出された色むら補正データをアナログ信号に変換するＤ／Ａ変換器とを、さらに有することを特徴とする請求項２または３に記載の色むら補正装置。
　【請求項５】　前記表示器は液晶表示器であり、前記色むら補正量は前記映像信号を投写した輝度レベルから求めることを特徴とする請求項２から４の何れかに記載の色むら補正装置。
　【請求項６】　前記色むら補正信号は、前記各ブロック間で輝度差がなくなるように水平及び垂直方向に直線補間を行って求めることを特徴とする請求項２から５の何れかに記載の色むら補正装置。」
　
［３−３］刊行物記載の発明
（１）　当審が通知した取消理由で引用した刊行物１および２には、「液晶投射型映像表示装置の信号処理回路」に関し、
（１−１）　第２の補正メモリ１４からの電圧変移補正用データと、Ｖ−Ｔ補正回路１２からの出力とを加算器１６にて加算している点、
（１−２）　全画面にわたって輝度として実測した電圧変移に相当する量を電圧に換算し、加減算情報として第２の補正メモリ１４に書き込む点、
（１−３）　第１の補正メモリ８からのシェーディング補正用データを用いて乗算処理することにより、シェーディング補正された映像情報をＶ−Ｔ補正回路に出力している点、
　が記載されている。
（２）　同じく引用した刊行物３には、「マルチスクリーンディスプレイ」に関し、
（２−１）　画面内を複数のブロックに分け、そのブロックごとに表示むら補正データを格納するルックアップテーブルを設ける点、
（２−２）　複数の特定輝度を補正するデータ変換器のデータから補間により、特定輝度以外の輝度における補正データを求める点、
　が記載されている。
（３）　同じく引用した刊行物４には、「液晶投射型映像表示装置の信号処理回路」に関し、
（３−１）　Ｖ−Ｔ補正を行った後、画像の大面積部分においてシェーディング補正を行い、局所画像ではシェーディング補正手段を介することなく、液晶パネルに画像信号を供給する点、
（３−２）　シェーディング補正は、予め測定した補正信号をメモリに記憶しておき、原色信号に積・和演算して行う点、
　が記載されている。
　
［３−４］対比・判断
［３−４−１］請求項１に係る発明
　本件請求項１に係る発明と、刊行物１ないし４に記載された発明と対比すると、いずれの刊行物も、本件請求項１に係る発明を特定する主要な事項である次の事項（ａ）を備えていないし、これを示唆する記載もない。
　（ａ）「所定の表示器の表示画面を少なくとも二つのブロックに分割し、該分割した各ブロックの輝度レベルを均一化して前記表示画面に生じる色むらを補正する色むら補正信号を該分割した各ブロック間の輝度差のデータに基づいて発生する色むら補正信号発生回路」と、「Ｖ−Ｔ補正回路で補正された映像信号へ前記色むら補正信号を重畳する色むら補正信号加算回路」とを備える点。
　上記刊行物１および２に記載された発明には、「電圧変移補正データの補正メモリ」による補正をＶ−Ｔ補正後に加算すること、および「シェーディング補正データの補正メモリ」による補正をＶ−Ｔ補正前に乗算することが記載されている。異議申立人は、刊行物１および２記載の「電圧変移補正データ」は本件請求項１に係る発明の「色むら補正信号発生回路の補正データ」に相当すると指摘するのに対し、特許権者は、上記「電圧変移補正データ」は周期的なノイズをなくすためのデータであり、本件請求項１に係る発明の「色むら補正信号」は、「光学的な要因や液晶パネルのギャップの不均一性やラビングむら等による表示画面のどの部分で発生するのか予測できない色むらに対する」ものであるので、むしろ、刊行物１および２の「シェーディング補正データ」が異議申立人の主する「色むら補正信号発生回路の補正データ」に相当すると主張している。
　本件明細書によれば、液晶パネルの透過光が鏡によって反射される回数の奇偶、左右のゲート配線長が異なることによる配線容量、液晶のギャップの不均一、偏向板の不均一性、その他投写装置においてはダイクロックミラー等の光学部品や光源の不均一性等による様々な色むらの要因があると、記載されているので、シェーディング補正を含む様々な要因の色むらを総合的に補正するものが、本件請求項１に係る発明の「分割した各ブロック間の輝度差のデータに基づいて発生する色むら補正信号」であると認められる。
　これに対し、刊行物１および２では、シェーディング補正は、Ｖ−Ｔ補正の前に行われているので、刊行物１および２には、Ｖ−Ｔ補正された映像信号へ色むら補正信号を加算することが記載されているとする、異議申立人の主張は採用することができない。
　また、刊行物４に記載された発明では、Ｖ−Ｔ補正回路の後段にシェーディング補正回路が配置されているが、刊行物４のものは、シェーディング補正のＯＮ／ＯＦＦ制御するためのものであり、常にシェーディング補正を行う本件請求項１に係る発明とは相違しており、分割した各ブロック間の輝度差のデータに基づいて発生する色むら補正信号について記載がないので、刊行物１および２に記載された発明に適用して、刊行物１および２に記載された発明のシェーディング補正回路の配置構成に代えて刊行物４の配置構成を採用し上記事項（ａ）を備えるようにすることは、当業者にとって容易であるとはいえない。
　また、刊行物３に記載された発明には、表示むら補正信号を得る方法としてブロック分割して行うことが記載されているが、分割した各ブロック間の輝度差のデータに基づいて発生する色むら補正信号について記載がなく、刊行物１、２または４に記載された発明と組み合わせても、上記事項（ａ）を想到することはできない。
　そして、上記事項（ａ）により、本件請求項１に係る発明は、正確に色むらを改善することができ、Ｓ／Ｎ比を改善することができる等の明細書記載の顕著な効果を奏しているので、本件請求項１に係る発明は、刊行物１、２、４に記載された発明でなく、また刊行物１ないし４に記載された発明に基づいて当業者が容易に発明をすることができたものでもない。
　　
［３−４−２］請求項２ないし６に係る発明
　本件請求項２ないし６に係る発明は、請求項１を引用するものであるので、上記［３−４−１］と同様の理由により、刊行物１、２、４に記載された発明でなく、また刊行物１ないし４に記載された発明に基づいて当業者が容易に発明をすることができたものでもない。　
［４］むすび
　以上のとおりであるから、特許異議申立の理由及び証拠によっては、本件請求項１ないし６に係る発明の特許を取り消すことはできない。
　また、他に本件請求項１ないし６に係る発明の特許を取り消すべき理由を発見しない。
　よって、結論のとおり決定する。
【異議決定日】
平成１４年８月１６日（２００２．８．１６）
【訂正の要旨】
訂正事項
▲１▼【請求項１】
　請求項１「所定の表示器の表示画面を少なくとも二つのブロックに分割し、該分割した各ブロックの輝度レベルを均一化して前記表示画面に生じる色むらを補正する色むら補正信号を発生する色むら補正信号発生回路と、」を、
「所定の表示器の表示画面を少なくとも二つのブロックに分割し、該分割した各ブロックの輝度レベルを均一化して前記表示画面に生じる色むらを補正する色むら補正信号を
該分割した各ブロック間の輝度差のデータに基づいて
▲２▼【請求項１】
　請求項１「前記表示器における表示画面の緻密な色むら補正を可能としたことを特徴とする色むら補正装置。」を、
「前記表示器における表示画面の緻密な色むら補正を可能としたことを特徴とする
液晶表示装置の
▲３▼【００１１】
　▲２▼に伴い、特許請求の範囲の記載と発明の詳細な説明の記載との整合をとるため、【００１１】段落「種々の要因による色むらを補正することのできる色むら補正装置を得ることを目的としている。」を、
「種々の要因による色むらを補正することのできる
液晶表示装置の
▲４▼【００１２】
　▲１▼に伴い、特許請求の範囲の記載と発明の詳細な説明の記載との整合をとるため、【００１２】段落「所定の表示器の表示画面を少なくとも二つのブロックに分割し、この分割した各ブロックの輝度レベルを均一化して表示画面に生じる色むらを補正する色むら補正信号を発生する色むら補正信号発生回路（１０）と、」を、「所定の表示器の表示画面を少なくとも二つのブロックに分割し、この分割した各ブロックの輝度レベルを均一化して表示画面に生じる色むらを補正する色むら補正信号を
前記分割した各ブロック間の輝度差のデータに基づいて
（５４）【発明の名称】
色むら補正装置
（５７）【特許請求の範囲】
　【請求項１】　所定の表示器の表示画面を少なくとも二つのブロックに分割し、該分割した各ブロックの輝度レベルを均一化して前記表示画面に生じる色むらを補正する色むら補正信号を
該分割した各ブロック間の輝度差のデータに基づいて
前記表示器に適用される表示媒体の電圧−透過率特性に基づき該表示器で表示する映像信号をリニアな特性に補正して出力するＶ−Ｔ補正回路と、
該Ｖ−Ｔ補正回路で補正された映像信号へ前記色むら補正信号を重畳する色むら補正信号加算回路とを備え、
前記表示器における表示画面の緻密な色むら補正を可能としたことを特徴とする
液晶表示装置の
　【請求項２】　前記色むら補正信号発生回路は、前記分割した各ブロックの表示画面の色むら補正量をデジタルデータとして保存する、メモリを有して構成されたことを特徴とする請求項１記載の色むら補正装置。
　【請求項３】　前記色むら補正装置は、前記映像信号を反転増幅する反転増幅回路と、非反転増幅する非反転増幅回路と、前記それぞれに増幅された映像信号の何れか一をフィールド反転やドット反転等の前記表示器に最適な映像信号として切り替えて出力する極性切替回路とを、さらに有することを特徴とする請求項１または２に記載の色むら補正装置。
　【請求項４】　前記色むら補正装置は、前記色むら補正信号発生回路のメモリからＨ同期信号とＶ同期信号を基準としたタイミングで前記補正量のデジタルデータを呼び出すタイミング発生回路と、該呼び出された色むら補正データをアナログ信号に変換するＤ／Ａ変換器とを、さらに有することを特徴とする請求項２または３に記載の色むら補正装置。
　【請求項５】　前記表示器は液晶表示器であり、前記色むら補正量は前記映像信号を投写した輝度レベルから求めることを特徴とする請求項２から４の何れかに記載の色むら補正装置。
　【請求項６】　前記色むら補正信号は、前記各ブロック間で輝度差がなくなるように水平及び垂直方向に直線補間を行って求めることを特徴とする請求項２から５の何れかに記載の色むら補正装置。
【発明の詳細な説明】
　【０００１】
　【発明の属する技術分野】本発明は、映像表示装置、特に３板式投写型液晶表示装置に用いて好適な色むら補正装置に関する。
　【０００２】
　【従来の技術】従来、Ｒ、Ｇ、Ｂの各映像を表示するための３枚の液晶パネルを用いてスクリーン上にカラー画像を投写表示するようにした液晶プロジェクタにおいては、Ｖ−Ｔ補正を行うようにしている。Ｖ−Ｔ補正とは、入力される映像信号の振幅に対して液晶の透過率がリニアに変化しない表示特性を有しているために、これを逆補正してリニアな特性を得るための補正を言う。
　【０００３】また、従来の液晶プロジェクタにおいては、各液晶パネルや投写光学系に起因する色むらが発生するが、この色むらを補正するために色むら補正信号を生成し、これを入力される映像信号に重畳し、その後に上記Ｖ−Ｔ補正を行うようにしている。
　【０００４】従来の液晶プロジェクタの色むら補正装置として、例えば特開平７−７５１２０号公報に記載されたものがある。図９は上記公報に記載された色むら補正装置の構成を示す。上記公報には、色むらが発生する原因として、各液晶パネルの透過光がスクリーンに投写されるまでに、ある１枚の液晶パネルのダイクロイックミラーによって反射される回数の奇偶が、他の２枚の液晶パネルの反射回数の奇偶と異なるために色むらが発生すると記載されている。すなわち、３板式液晶プロジェクタでは、１枚の液晶パネルが他の２枚と異なる駆動方式となるために色むらが発生する。
　【０００５】次に上記駆動方式について説明する。図１０に液晶パネルの配線図を示す。液晶のゲート配線は液晶パネルの左右方向に水平ライン毎に配線するために、各画素の水平方向の位置によって配線の長さが異なる。このためにゲートドライバから出力した信号は、左右の画素で伝達に時間差が生じる。すなわち、ゲート配線が短い画面の左側のＡ点の画素に比べゲート配線の長い画面の右側のＢ点の画素に遅延が発生する。その結果、Ｂ点の画素の液晶に電圧を印加する時間が短くなる。
　【０００６】図１１に実際に液晶の画素に電圧が印加される波形を示す。ゲートドライバから発生するタイミング信号がＨレベルの期間、液晶にソース電圧が書き込まれる。Ａ点とＢ点ではゲート配線長の差があるために遅延時間が発生する。この結果、液晶に電圧を印加する時間差が、電圧レベル差になり投写表示を行った場合、左右で輝度の差が発生する。３板式液晶プロジェクタでは、３枚の液晶パネルの内１枚のみが上記の反射回数の違いによって他の２枚と駆動方向が異なっている。３枚が同じ駆動方向で表示できたなら左右で輝度が異なることが有るが色むらは発生しない。しかしながら１枚のみが逆の駆動方向で駆動されるために３枚の液晶パネルで投写表示を行うと、左右で色が異なるため色むらが発生する。例えば、レッドとブルーの液晶パネルは左側から右側にかけて書き込み時間が短くなるのに対して、グリーンの液晶パネルの場合にはその逆になる。従って、３枚の液晶パネルを重ねて投写した場合、左右方向で色むらが発生することが容易に理解できる。
　【０００７】次に図９の色むら補正装置について説明する。水平同期信号入力６１を積分回路６５で積分し、鋸歯波形ゲイン設定回路６６で鋸歯状の波形を発生する。この鋸歯状波形の振幅を調整して、反転増幅回路６７、及び６８により反転波形及び非反転波形を得る。この波形を極性反転回路６９で液晶の特性に会った極性反転を行い、ＤＣバイアス設定回路７０、７１を介してＢ信号入力６３の映像信号に重畳する。この信号をドライブ回路７２を通じてＢ液晶パネル７３を駆動することによって、映像の色むらを補正している。すなわち、液晶に映像信号が書き込まれる時間が液晶パネルの左右の画素によって異なるために色むらが発生するために、予め遅延がある右側の画素に印加電圧を嵩上げすることにより色むら補正を行うようにしている。
　【０００８】
　【発明が解決しようとする課題】第１の問題点として、色むら補正を行う場合、黒レベルや白レベルの補正が画面のＳ／Ｎに大きな影響を与えるが、前述したように、Ｖ−Ｔ補正を行う前に色むら補正信号を重畳した場合、黒レベル付近のレベルに注目すると、ゲインはＶ−Ｔ補正を行う前後では数倍から数十倍のゲインになる。これは、液晶の特性である電圧−透過率の関係をリニアの関係に変換する時には、数倍から数十倍のゲインが必要になることを示している。従って、微小な変化に対する色むら補正を行う場合に、色むら補正の後にＶ−Ｔ補正を行うと、Ｖ−Ｔ補正の黒レベル付近のゲインが大きいために、色むら補正信号にノイズがある場合にはそのノイズも同時に増幅してしまう結果となる。従って画面のＳ／Ｎの悪化を招いてしまうという問題点があった。
　【０００９】第２の問題点として、前記公報では、色むらが発生する要因として、液晶パネルの透過光がスクリーンに投写されるまでに鏡によって反射される回数の奇偶が、他の２枚の液晶パネルの反射回数の奇偶と異なること、及び液晶パネル内での左右のゲート配線長が異なるため配線容量が原因で色むらが発生することを記載している。しかしながら、実際には色むらが発生する要因は、上記の項目の他に液晶パネルの画素電極と対向する電極間に封止された液晶の厚み（以下、ギャップと言う。）の不均一からなるむらや、ラビングの不均一性によって発生するむら、液晶パネルの偏向方向を揃えるために用いる偏向板の不均一性によるむら、その他投写装置においてはダイクロイックミラー等の光学部品によるむらや光源の不均一性によるむら等、様々な色むらの要因がある。
　【００１０】上記公報では、その他の項目の色むらについては何ら考慮していないために、左右方向以外の色むらがある場合には、色むら補正の効果が十分でないばかりか、逆に他の要因による色むらを付加してしまうことも考えられる。さらに上記公報に記載された色むら補正をＶ−Ｔ補正の前に行うと上記第１の問題点で述べたノイズの問題が生じることになる。
　【００１１】従って、本発明は上記の各問題点を解決し、色むら補正によるＳ／Ｎの劣化を改善すると共に、種々の要因による色むらを補正することのできる
液晶表示装置の
　【００１２】
　【課題を解決するための手段】本発明においては、上記目的を達成するために所定の表示器の表示画面を少なくとも二つのブロックに分割し、この分割した各ブロックの輝度レベルを均一化して表示画面に生じる色むらを補正する色むら補正信号を
前記分割した各ブロック間の輝度差のデータに基づいて
　【００１３】また、上記の色むら補正信号発生回路（１０）は、分割した各ブロックの表示画面の色むら補正量をデジタルデータとして保存する、メモリを有して構成するとよい。
　【００１４】上記の色むら補正装置は、映像信号を反転増幅する反転増幅回路（５）と、非反転増幅する非反転増幅回路（６）と、それぞれに増幅された映像信号の何れか一をフィールド反転やドット反転等の表示器に最適な映像信号として切り替えて出力する極性切替回路（７）とをさらに有するとよい。
　【００１５】また、上記の色むら補正装置は、色むら補正信号発生回路（１０）のメモリからＨ同期信号（１３）とＶ同期信号（１４）を基準としたタイミングで補正量のデジタルデータを呼び出すタイミング発生回路（９）と、この呼び出された色むら補正データをアナログ信号に変換するＤ／Ａ変換器（１１）とをなおさらに有するとよい。
　【００１６】なお、上記の表示器は液晶表示器であり、色むら補正量は映像信号を投写した輝度レベルから求め、色むら補正信号は各ブロック間で輝度差がなくなるように水平及び垂直方向に直線補間を行って求めるとよい。
　【００１７】
　【発明の実施の形態】以下、本発明の実施の形態について図面を参照して説明する。図１において、映像信号入力１を増幅回路２で増幅したあと、Ｖ−Ｔ補正回路３で液晶の電圧−透過率特性をリニアな特性に変換する。このＶ−Ｔ補正された信号は、色むら補正信号加算回路４において増幅回路１２からの色むら補正信号が映像信号に重畳される。さらに、反転増幅回路５と非反転増幅回路６でそれぞれ増幅し、極性切替回路７でフィールド反転や、ドット反転等の液晶パネルに最適な反転方式で映像信号を切り替えて液晶パネル８に映像信号を表示する。
　【００１８】また、上記色むら補正信号は、色むら補正信号発生回路１０で発生する。色むら補正信号発生回路１０はメモリとフィルタ回路とにより構成されている。メモリには投写した映像信号の輝度レベルから求めたデジタルの色むら補正データが保存されている。このメモリには、映像表示画面を複数のブロックに分割し、各ブロックの色むら補正量がデジタルデータとして保存されている。この色むら補正信号発生回路１０のメモリからデータを呼び出すのは、Ｈ同期信号１３とＶ同期信号１４を基準としたタイミング発生回路９で呼び出す。呼び出された色むら補正データはＤ／Ａ変換器１１でアナログ信号に変換され、増幅回路１２を通じて色むら補正信号加算回路４でＶ−Ｔ補正された映像信号に加算されるように構成されている。
　【００１９】次に上記構成による動作について説明する。色むらは、３板式液晶プロジェクタの場合には、各色の液晶パネルの表示画面における輝度のバラツキが３枚の液晶パネルを重ね合わせることによって色むらとして見えるため、各パネルの輝度むらを減少させることで色むらを減少させることができる。
　【００２０】図１において、映像信号入力１から単色の映像信号を入力する。この信号を増幅回路２で増幅し、Ｖ−Ｔ補正回路３で液晶の特性に合ったＶ−Ｔ補正を行う。このＶ−Ｔ補正により、液晶パネルに入力する映像信号と透過率がリニアに変化するように補正される。図３にノーマリホワイトの液晶の持つ透過率−印加電圧の関係を示すグラフの一例を示す。図示のように、印加電圧の低いときには透過率が高く、徐々に印加電圧を上げていくと、急激に透過率が下がる。さらに印加電圧を上げると、変化量は少ないが透過率が下がる。
　【００２１】このような特性を持つ液晶パネルをＶ−Ｔ補正したときの補正カーブを示すグラフを図２に示す。さらにＶ−Ｔ補正を行った後の印加電圧と透過率のグラフを図４に示す。図４から映像入力信号と透過率の関係がリニアになることが判る。すなわち投写装置で映像信号を投写した場合、入力映像信号レベルと投写映像の輝度レベルとの関係を簡単な一次式で表すことができる。
　【００２２】上記の状態で、投写映像から色むらの状態を測定する。測定方法は映像表示を行っている画面を水平方向と垂直方向を複数に分割し、各交点での輝度レベルを測定する。図５に測定の一例を示す投写画面を分割した画面を示す。各ブロックにおける輝度レベルを輝度計等を使って測定を行う。測定手段としては、各ブロックを順次測定してデータを収集する方法、カメラ等を使用して画面全体を取り込みパソコンで各交点の輝度レベルをデジタルデータに変換する手法等が挙げられる。ここで得られたデータは、色むらがある場合には、周囲の交点に対して低いレベルを示したり、逆に高いレベルを示す。従って、色むらのある交点の電圧を他の交点と輝度が同じになるように調整することにより色むらが軽減する。
　【００２３】映像レベルに色むら補正信号を重畳することで色むら補正を行う場合、単純にＤＣレベルを映像信号に重畳するだけでは補正ができない場合があるため、ＡＣレベルでも補正できるようにしている。すなわち、映像の黒レベルと白レベルでは色むらの状態が変化することがあり得る。原因としては印加電圧に対して液晶の透過率が画面全体で一定で無いこと等が挙げられる。従って、本実施の形態では、ＤＣレベルとＡＣレベルとの両方で色むら補正できるようにしている。
　【００２４】色むらの状態を測定する場合、最初に全面黒レベルの映像信号を表示させる。この時の各ブロック間の輝度差をデータとして収集する。次に、全白表示を行い、この時の各ブロック間の輝度差をデータとして収集する。これらのデータから色むら補正データを作成する。映像信号を全黒で表示した場合、投写した表示画面に輝度差がある場合には、映像信号にＤＣレベルの信号を重畳することで色むら補正することができる。次に、全白表示を行ったときに輝度差が無くなるように映像信号のＡＣレベル、すなわち映像振幅レベルを変化させることで色むらが最も軽減するようにする。このような方法により、全黒から全白に変化する色むらにも対応することが可能になる。
　【００２５】上記測定で得られた輝度データを色むら発生回路１０のメモリに格納する。メモリは映像信号に重畳するＤＣレベル用とＡＣレベル用とを用意する。一例として８ビットのデータで各ブロックに対して色むら補正信号を作成する手法について説明する。初めに表示画面の白表示の時の各ブロックの測定値から黒表示の輝度値を減算し、その差を８ビット、すなわち２５６で除算を行う。この結果、デジタルの１／２５６データ当たりの輝度値が求められる。次に全黒表示を行った場合、周辺のブロックに比較して輝度データの不足する分だけをメモリに格納する。
　【００２６】このメモリに格納されたデータは、タイミング発生回路２５で各ブロックに対応する時にデータの読み出しを行う。読みだされたデータはＤ／Ａ変換器１１でアナログ信号に変換された後、色むら補正信号加算回路４でＶ−Ｔ補正された映像信号に重畳される。
　【００２７】次に、全白表示を行い、表示画面上の輝度差を測定する。このときに輝度差がある場合には、映像振幅レベルを変化させる必要がある。一例として、全白表示した画面のある点を測定した結果、輝度が１００だとする。その周辺の輝度が１１０あるとすると、補正を行う点の、映像振幅を１．１倍することで色むらを補正することができる。従って、メモリには映像振幅を１．１倍にする係数を格納する。ＤＣレベルと同様に、このメモリに格納されたデータは、タイミング発生回路９で各ブロックに対応する時にデータの読み出しを行う。読みだされたデータはＤ／Ａ変換器１１でアナログ信号に変換され、色むら補正信号加算回路４で映像信号に重畳される。
　【００２８】測定した輝度データのポイントが少ない場合に色むら補正を行うと、読み出されたデータは、測定した画面位置のデータしかないために、測定ブロック毎に輝度差が見える可能性がある。特に各ブロック間での輝度差が大きいと輝度の境目が見えることがある。このため、測定箇所をできるだけ多く取るといった手法や、測定ポイント間のデータは、水平方向と垂直方向にそれぞれ水平補間、垂直補間を用いて、ブロック毎の輝度差が無くなるようにする。
　【００２９】次に、フィルタの構成は直線補間で行う。水平フィルタの一例を図６に示す。図５から水平方向の色むら測定点をＡ、Ｂとする。Ａ、Ｂ間を補間するデータは、理想的には各画素毎にあると良いのだが、映像信号の水平走査速度が速いために、各画素毎のデータを得ることが困難である。従って、Ａ、Ｂ間を数点に分割する。一例として本実施の形態では８分割とする。補間データはＡ点からＢ点までに７個のデータを作成することになる。Ａ点からＢ点に至るまでの補間データの値をそれぞれＣ１からＣ７とする。７個のデータは作成手法としては、Ｂ点からＡ点のデータを減算し係数を掛けることで求めることができる。
　【００３０】Ａ点からＢ点までのデータは順番に、Ａ＝Ａ＋０／８（Ｂ−Ａ）、Ｃ１＝Ａ＋１／８（Ｂ−Ａ）、Ｃ２＝Ａ＋２／８（Ｂ−Ａ）、Ｃ３＝Ａ＋３／８（Ｂ−Ａ）、Ｃ４＝Ａ＋４／８（Ｂ−Ａ）、Ｃ５＝Ａ＋５／８（Ｂ−Ａ）、Ｃ６＝Ａ＋６／８（Ｂ−Ａ）、Ｃ７＝Ａ＋７／８（Ｂ−Ａ）、Ｂ＝Ａ＋８／８（Ｂ−Ａ）となる。
　【００３１】従って、水平フィルタの構成は、図６のように減算器と加算器とスイッチとで構成できる。すなわちＢ−Ａは減算器を用いる。係数Ｋは０／８から８／８まで変化するが、１／８のデータは（Ｂ−Ａ）のデータを３ビットデータシフトすることで求めることができる。２／８のデータは（Ｂ−Ａ）のデータを２ビットデータシフトすることで求めることができる。４／８のデータは（Ｂ−Ａ）のデータを１ビットデータシフトすることで求めることができる。その他のデータは、上記のデータ組み合わせて加算、減算することで求めることができる。すなわち、係数Ｋが３／８の場合には３／８＝１／８＋２／８となる。係数Ｋが５／８の場合には５／８＝１／８＋４／８となる。係数Ｋが６／８の場合には６／８＝２／８＋４／８となる。係数Ｋが７／８の場合には７／８＝８／８−１／８となる。上記データをスイッチを用いて切り替えることで、直線補間されたフィルタを構成できる。
　【００３２】次に垂直方向のフィルタについて説明する。垂直方向は水平方向に比べ動作速度が遅いために、各画素毎のデータを与えるように構成する。データの作成方法としては、水平方向と同様な手法で行うが、各画素毎に係数を持たせた場合、ビットシフトと加算器、減算器、スイッチで構成すると回路規模が大きくなる。このために、垂直フィルタの構成は、乗算器とカウンタ回路を用いて図７のように構成する。図５から測定点Ａと測定点Ｃ点の間に５０画素有るとすると、１ライン毎にカウンタの値を１繰り上げて（Ａ−Ｃ）と乗算を行う。次にこの乗算した信号に１／５０を掛け合わせることで色むら補正のデータを求めることができる。すなわちＡ点、Ｃ点ではそれぞれＡ＝Ａ＋０／５０（Ａ−Ｃ）、Ｃ＝Ａ＋５０／５０（Ａ−Ｃ）となる。Ａ点とＣ点の中間点をＤ２５とすると、Ｄ２５＝Ａ＋２５／５０（Ａ−Ｃ）となる。以上水平補間、垂直補間のフィルタ構成について説明した。
　【００３３】色むら補正データの補間を行う順序は、最初に垂直補間を行った後に、水平補間を行う。これは、水平補間の手法から、水平方向の２点のデータからその間の補間データを作成するが、測定点以外の場所ではデータが無い。従って、垂直補間を先に行うことで、全てのラインにおいて水平補間を行うことのできるデータを得ることができる。実際に色むらのある表示画面と補正波形の一例を図８に示す。
　【００３４】上記読み出されたデータをＤ／Ａ変換器１１でアナログ信号に変換し、増幅回路１２を通じて色むら補正信号加算回路４で映像信号に重畳することで色むら補正を行うことができる。ＤＣレベルの補正は映像信号に色むら補正信号を加算する。ＡＣレベルの補正は映像信号に色むら補正信号を乗算することで、ＤＣ、ＡＣレベル双方の補正が可能となる。
　【００３５】次に色むら補正を行った映像信号を反転増幅回路５及び非反転増幅回路６でそれぞれ増幅を行い、極性切替回路７にて信号を切り替える。切替えのタイミング信号はタイミング発生回路９から入力する。反転のタイミングは、液晶パネルの特性に合った反転方式を取る。切り替えられた映像信号を液晶パネル８に入力することによって色むらが軽減された映像を見ることができる。
　【００３６】上述のように本実施の形態によれば、初めに液晶パネルのＶ−Ｔ補正を行い、その後に色むら補正を行うようにしたことにより、色むらの状態を確認する場合には、スクリーンに投写された映像を複数のブロックに分割し、それぞれのブロックの輝度を測定することによって色むらの状態を簡単に把握することができる。さらに色むらを補正するための信号は、Ｖ−Ｔ補正後には入力電圧と輝度との関係が比例しているため、その輝度レベルから簡単な計算で補正レベルを求めることができる。また、従来のようにＶ−Ｔ補正の前に色むら補正を行う場合に比較して、Ｓ／Ｎの改善を行うことができる。
　【００３７】
　【発明の効果】本発明により得られる第１の効果は、Ｖ−Ｔ補正等のような補正後に色むら補正を行うように構成したことにより、その逆を行う場合に比べ正確に色むらを改善することができると共に、Ｓ／Ｎを改善することができる。その理由は、Ｖ−Ｔ補正の場合、液晶の持つ特性の電圧−透過率の関係をリニアに変換するので、投写映像表示を行った場合の液晶パネルは、入力電圧が低いレベルと高いレベルの時には輝度の変化が少なく、中間レベルには輝度の変化が大きくなる。このためＶ−Ｔ補正を行うことは、すなわち入力電圧レベルが低いときと高いときのゲインを上げ、また中間レベルのゲインを下げることを行う。
　【００３８】このため、Ｖ−Ｔ補正前に色むら補正信号を重畳すると、映像レベルによって色むら補正のレベルも変化するために正確な補正ができない。また、正確な色むら補正を行う場合には、映像レベルに対応した色むら補正信号を重畳しなければならないため補正信号の管理が困難となる。従って、Ｖ−Ｔ補正後に色むら補正を行うことにより、正確で簡単な色むら補正を行うことができる。
　【００３９】また、ノイズに関しては、色むら補正信号に微小レベルのノイズが混入していた場合、Ｖ−Ｔ補正を行うことで黒や白に近いレベルの信号のゲインは数倍から数十倍になる。同時にノイズ成分も、増幅してしまうためにＳ／Ｎの劣化があったが、Ｖ−Ｔ補正後に色むら補正を行うことで前記問題が解消される。
　【００４０】また、第２の効果は、液晶パネルや投写光学系に起因する色むらを軽減できることである。その理由は、色むらの発生する原因は様々な理由が考えられる。従って、映像表示画面に現れる色むらは場所やレベルが一様ではないが、表示画面を複数のブロックに分割して、それぞれのブロックに対して色むら補正を行うことにより、細かな範囲での色むら補正を行うことが可能である。
【図面の簡単な説明】
　【図１】本発明の実施の形態を示すブロック図である。
　【図２】Ｖ−Ｔ補正の入出力電圧特性を示すグラフである。
　【図３】ノーマリホワイトの液晶パネルの電圧−透過率特性を示すグラフである。
　【図４】Ｖ−Ｔ補正後の電圧−透過率特性を示すグラフである。
　【図５】表示画面の測定ポイントを示す構成図である。
　【図６】水平フィルタの構成図である。
　【図７】垂直フィルタの構成図である。
　【図８】色むらと色むら補正信号を示す構成図である。
　【図９】従来の色むら補正装置を示すブロック図である。
　【図１０】色むらの発生する原因を示す構成図である。
　【図１１】色むらの発生する原因を示すタイムチャートである。
　【符号の説明】
　１　映像信号入力
　２　増幅回路
　３　Ｖ−Ｔ補正
　４　色むら補正信号加算回路
　５　反転増幅回路
　６　非反転増幅回路
　７　極性切替回路
　８　液晶パネル
　９　タイミング発生回路
　１０　色むら補正信号発生回路
　１１　Ｄ／Ａ変換器
　１２　増幅回路
　１３　Ｈ同期信号
　１４　Ｖ同期信号
　６１　水平同期信号入力
　６２　左右反転制御信号入力
　６３　Ｂ信号入力
　６４　増幅回路
　６５　積分回路
　６６　鋸歯波形ゲイン設定回路
　６７　反転増幅回路
　６８　反転増幅回路２
　６９　極性反転回路
　７０、７１　ＤＣバイアス設定回路
　７２　ドライブ回路
　７３　Ｂ液晶パネル